(57)【要約】      （修正有）【課題】装身用チェーン上を摺動可能とした装身用装飾体に摺動回転機能を持たせて装身具全体の変化及び装飾体のみの変化が楽しめる装身用装飾体を提供する。【解決手段】飾り部１と、フランジ状の軸部２と、弾性体の環３にて構成し、前記飾り部は、器状フレームにて裏面開口部の略中央位置に突起した心棒６を設けて形成、フランジ状の軸部は、底板となる略中央位置に、前記心棒を貫通させる孔８を設け、該底板の大きさより径が小さい突出した枠部を設けて、該枠部先端位置に装身用チェーン１０を貫通させる対向した貫通孔１１、１２を設けて形成、前記フランジ状の軸部の底板に設けた孔に前記飾り部の裏面開口部に設けた心棒を貫通させて組み合わせて該心棒の先端を前記孔より大きく膨突させ、そして、弾性体の環を枠部より前記飾り部の裏面開口部に配置した後、該枠部先端位置に設けた貫通孔に装身用チェーンを貫通させて構成した。【選択図】図５
0003106902.tif 000002
【実用新案登録請求の範囲】
【請求項１】
装身用チェーン上を摺動可能とした１個乃至複数個の装身用装飾体に回転機能を持たせた装身用装飾体であって、
（１）該装身用装飾体は、飾り部１と、フランジ状の軸部２と、弾性体の環３にて構成。
（２）飾り部１は、器状フレームにて裏面開口部４の略中央位置に突起した心棒６を設けて形成した。
（３）フランジ状の軸部２は、底板７となる略中央位置に、心棒６を貫通させる孔８を設け、底板７の大きさより径が小さい突出した枠部９を設けて、該枠部９先端位置に装身用チェーン１０を貫通させる対向した貫通孔１１、１２を設けて形成した。
（４）フランジ状の軸部２の底板７に設けた孔８に、飾り部１の裏面開口部４に設けた心棒６を貫通させて組み合わせ、心棒６の先端を孔８より大きくした膨突部１３を形成することにより、飾り部１と、フランジ状の軸部２が外れることなく飾り部１を回転可能とした。
（５）そして、弾性体の環３を枠部９より挿入し、飾り部１の裏面開口部４に配置した後、枠部９先端位置に設けた貫通孔１１、１２に装身用チェーン１０を貫通させることにより弾性体の環３の弾性にて装身用装飾体が装身用チェーン１０上を摺動可能にて位置が自由に変えられると共に、飾り部１を摺動回転させることも可能としたことを特徴とする装身用装飾体。
【請求項２】
前記１個乃至複数個を用いた装身用装飾体の飾り部表面５の全て、又は、いずれかに装飾を施すことを特徴とする請求項１記載の装身用装飾体。
【考案の詳細な説明】
【技術分野】
【０００１】
本考案はネックレス、ブレスレット、アンクレット等に使用される装飾体に関するものである。
【背景技術】
【０００２】
装身用チェーンに複数個の装飾体を用いて、該装飾体が装身用チェーン上を自由に移動、係止可能としたネックレス等の装身具において、ケーシング内に弾性体を充填してなる複数個の自在留具のそれぞれに形成された貫通孔に装身具用の鎖、ワイヤー、紐等の装身具用紐状体を挿通させた際に、それぞれの自在留具の弾性体が常時該装身具用紐状体を押付けて該紐状体の任意の位置にこれら自在留具が係止されるようにし、さらにこれら各自在留具の間の紐状体に該紐状体が緩挿する大きさの貫通孔を形成した装飾部品を１又は２以上緩挿した紐状装身具が提案されている（例えば特許文献１参照。）。
【０００３】
また、第１の線状部材と、第２の線状部材と、装飾体とを含む。前記第２の線状部材は、前記第１の線状部材の周りを周回しながら、その長さ方向に進行する状態で、前記第１の線状部材に組み合わされ、前記装飾体の少なくとも１つは、前記第１の線状部材に移動可能に装着されている装身具が提案されている（例えば特許文献２参照。）。
【０００４】
しかし、上記の特許文献１、特許文献２に用いられた装身具の装飾体は、装身用チェーン上を移動のみ可能とした装飾手段で有るために形状の変化には、今一つ乏しいものであった。
【０００５】
【特許文献１】登録実用新案第３０６３７３９号公報
【特許文献２】特開２００３−１８０４２１号公報
【考案の開示】
【考案が解決しようとする課題】
【０００６】
解決しようとする問題点は、装身用チェーン上を摺動可能とした装身用装飾体に３６０度の摺動回転機能を持たせて装身具全体の変化及び装飾体のみの変化が楽しめる装飾性を向上させる装身用装飾体の提供を目的とした。
【課題を解決するための手段】
【０００７】
本考案の装身用装飾体は、飾り部１と、フランジ状の軸部２と、弾性体の環３にて構成し、飾り部１は、器状フレームにて裏面開口部４の略中央位置に突起した心棒６を設けて形成、フランジ状の軸部２は、底板７となる略中央位置に心棒６を貫通させる孔８を設け、底板７の大きさより径が小さい突出した枠部９を設け、該枠部９先端位置に装身用チェーン１０を貫通させる対向した貫通孔１１、１２を設けて形成、そして、フランジ状の軸部２の底板７に設けた孔８に飾り部１の裏面開口部４に設けた心棒６を貫通させて組み合わせ、該心棒６の先端を前記孔８より大きくした膨突部１３を形成することにより、飾り部１と、フランジ状の軸部２が外れることなく飾り部１を回転可能とし、そして、弾性体の環３を枠部９より挿入して飾り部１の裏面開口部４に配置した後、枠部９先端位置に設けた貫通孔１１、１２に装身用チェーン１０を貫通させることにより、弾性体の環４と、貫通孔１１、１２の内壁面にて装身用チェーン１０が弾性体の環４の弾性にて挟まれて装身用装飾体が装身用チェーン１０上を摺動可能にて位置が自由に変えられると共に飾り部１を摺動回転させることも可能としたことを要旨とするものである。
【考案の効果】
【０００８】
本考案の装身用装飾体を用いた、例えば、形状の異なる装身用装飾体を各１個用い、該装身用装飾体同士の間隔を空けた状態のネックレスに於いて、着用中に当該装飾体をネックレスの周方向に移動させて接合させることでペンダントヘッドを形成、また、該ペンダントヘッドを構成した各々の装飾体の飾り部を摺動回転させて接合させることにより、形状を変化させたペンダントヘッドを形成させることができる。
【０００９】
また、上記ペンダントヘッドを形成した装身用装飾体を複数個用いることで、より多くの装飾変化が楽しめ、装身用装飾体１個を用いた場合も摺動回転にて形状向きを変化させることができる。
【００１０】
以上述べたように、本考案によれば、装身用チェーン上を摺動可能とした装身用装飾体に３６０度の摺動回転機能を持たせて装身具全体の変化及び装飾体のみの変化が楽しめる装飾性を向上させた装身用装飾体の提供を可能とした。
【考案を実施するための最良の形態】
【００１１】
以下、図面を用いて本考案の装身用装飾体の組み立て工程と、該装身用装飾体を用いたネックレスの一実施形態を詳細に説明する。
【００１２】
図１は、本考案の装身用装飾体の一実施形態を示す各部品の斜視図であって、図２は図１の部品を組み合わせて装身用装飾体を構成したことを示す正面図で、図３〜５は、該装身用装飾体の背面図、右側面図、Ａ−Ａ線断面図を示す。図６、図７は、飾り部のデザインを変えた装身用装飾体の一実施形態を示す概念図である。
【００１３】
図１を用いて一実施形態の装身用装飾体の構成を説明する。（ａ）は、貴金属からなる機械編みの装身用チェーン１０を示し、（ｂ）は、シリコンゴムからなる弾性体の環を示し、（ｃ）は、底板７となる略中央位置に、底板７の大きさより径が小さい突出した枠部９を設けて、該枠部９先端位置に装身用チェーン１０を貫通させる対向した貫通孔１１、１２を設けてフランジ状の軸部２形成した（図面の都合により心棒６を貫通させる孔８を省略した）。（ｄ）は、器状フレームにて裏面開口部４の略中央位置に突起した心棒６を設けて飾り部１を形成した。
【００１４】
以上の構成からなる装身用装飾体の組み立て手段は、（ｄ）の飾り部１の裏面開口部４に設けた心棒６を（ｃ）のフランジ状の軸部２の底板７に設けた孔８に貫通させて、該心棒６の先端を孔８より大きくして膨突部１３を形成することにより、飾り部１の裏面開口部４の中に、フランジ状の軸部２の底板７が収まり、飾り部１と、フランジ状の軸部２が外れることなく飾り部１を回転可能とした。
【００１５】
そして、（ｂ）の弾性体の環３を枠部９の先端より挿入して飾り部１の裏面開口部４に配置した後、枠部９先端位置に設けた貫通孔１１、１２に装身用チェーン１０を貫通させることにより、弾性体の環４と、貫通孔１１、１２の内壁面にて装身用チェーン１０が弾性体の環４の弾性にて挟まれて装身用装飾体が装身用チェーン１０上を摺動可能として位置が自由に変えられると共に、飾り部１を摺動回転させることも可能とした構造を図２〜図５に示した。
【００１６】
図６は、飾り部１のデザインを変えて、飾り部表面５に宝石２１を勘合したＡ装身用装飾体１５と、装飾を施さないＢ装身用装飾体２０を用いて、任意の方向より装身用チェーン１０に貫通させて各々を途中に係止（４時と８時の位置に二点鎖線で表した）させたネックレスを形成した。
【００１７】
上記ネックレスに用いたＡ装身用装飾体１５とＢ装身用装飾体２０の飾り部１を矢印方向に摺動回転させると共に当該双方の装身用装飾体を摺動させて、双方を合わせてハート形状のペンダントヘッドを形成した。
【００１８】
また、図７に示す切り欠き概念図は、ハート形状を形成していたＡ装身用装飾体１５とＢ装身用装飾体２０を、更に、摺動させると共に飾り部１を摺動回転させて新たな形状とした。
【００１９】
本考案は、上記実施例から判るように、着用中にその日の気分、その場の雰囲気によって、装身具全体の変化及び装飾体のみの変化が楽しめる装飾性を向上させた装身用装飾体の提供が可能となった。
【図面の簡単な説明】
【００２０】
【図１】本考案の装身用装飾体の一実施形態を示す各部品の斜視図である。
【図２】図１の部品を組み合わせて装身用装飾体を構成した状態を示す正面図である。
【図３】図２に係わる背面図である。
【図４】図２に係わる右側面図である。
【図５】図２のＡ−Ａ線断面図である。
【図６】飾り部のデザインを変えた装身用装飾体を摺動移動し、そして、飾り部を回転させてペンダントヘッドを形成した一実施形態の概念図である。
【図７】図６より更に当該装身用装飾体を移動、飾り部を回転させた一実施例を示す切り欠き概念図である。
【符号の説明】
【００２１】
１      飾り部
２      フランジ状の軸部
３      弾性体の環
４      裏面開口部
５      飾り部表面
６      心棒  
７      底板
８      孔
９      枠部
１０      装身用チェーン
１１      貫通孔
１２      貫通孔
１３      膨突部
１５      Ａ装身用装飾体
２０      Ｂ装身用装飾体
２１      宝石
２２      引輪金具
２３      引輪連結プレート
２４      接続環
【図１】
0003106902.tif 000003
【図２】
0003106902.tif 000004
【図３】
0003106902.tif 000005
【図４】
0003106902.tif 000006
【図５】
0003106902.tif 000007
【図６】
0003106902.tif 000008
【図７】
0003106902.tif 000009